(57)【特許請求の範囲】
【請求項１】
内部にトレイ類が多段に配置されるトレイ収容室を有し、底部に取り付けられたキャスターで移動自在なカートと、内部にカートを収容するカート収容室が形成され、カート収容室内のカートに冷気を送入する冷気供給部および過熱蒸気を送入する過熱蒸気供給部を有する配膳車本体とを備えており、カート収容室は過熱蒸気供給部から供給される過熱蒸気が噴き出す過熱蒸気噴出口と過熱蒸気を吸い込む過熱蒸気吸入口並びに冷気供給部から供給される冷気が噴き出す冷気噴出口と冷気を吸い込む冷気吸入口とカートを出し入れするカート出入口部とカート出入口部を開閉する本体扉を備えており、カートは、配膳車本体内の過熱蒸気噴出口および過熱蒸気吸入口並びに冷気噴出口および冷気吸入口のそれぞれと連通する連通開口部とトレイ類が出し入れされるトレイ出入口部を備えてなり、且つカートのトレイ収容室が仕切壁で冷蔵室と温蔵室に区切られずに、一室構成することで冷気または過熱蒸気がカートのトレイ収容室内を循環するようになされている、調理給食用配膳車。
【請求項２】
配膳車本体の底部にカートが進入するカート進入用開口部が形成され且つ配膳車本体の底部に所要数のキャスターが取り付けられている、請求項２記載の調理給食用配膳車。
【請求項３】
配膳車本体に隣接して冷蔵庫が付設されている、請求項１または請求項２記載の調理給食用配膳車。
【請求項４】
請求項１〜請求項３のうちのいずれか一項記載の調理給食用配膳車を用いた調理給食方法であって、米、肉および野菜等の食材が入った一または複数の食器が載置されたトレイ類を配膳車本体内のカート内部に多段に収容した後、過熱蒸気供給部からカート内全体に過熱蒸気を供給して、各トレイ上の食器に収容された食材を調理した後、カートを配膳車本体から出して該カートだけを移動させて配膳を行うことを特徴とする、調理給食方法。
【請求項５】
過熱蒸気による調理を１００〜３００℃の範囲で行うことを特徴とする、請求項４記載の調理給食方法。
【請求項６】
過熱蒸気による食材の調理前に該食材をカート内で冷蔵しておくことを特徴とする、請求項４または請求項５記載の調理給食方法。
【請求項７】
食材の調理後にカートを配膳車本体から出して該カートだけを移動させて配膳を行うにあたり、別途冷蔵しておいた冷菜類をトレイ上に追加した後、配膳を行うことを特徴とする、請求項４〜請求項６のうちのいずれか一項記載の調理給食方法。
【請求項８】
請求項３記載の調理給食用配膳車を用いた調理給食方法であって、別途冷蔵しておいた冷菜が、配膳車本体に隣接して付設された冷蔵庫で保管されたものである、請求項７記載の調理給食方法。
【発明の詳細な説明】
【技術分野】
【０００１】
本発明は、病院や老人ホーム等において、過熱蒸気を用いて配膳車内で食材を調理し、その調理後の食品を、前記施設内の喫食者に提供するようした調理給食方法およびこれに用いる調理給食用配膳車に関する。
【背景技術】
【０００２】
従来、前もって調理された食品を冷却保存しておき、該食品が入った皿を、トレイの所定位置に形成した孔に嵌め入れることで、前記食品入りの皿をトレイ上に載置すると共に皿に蓋を被せて配膳盆をつくり、該配膳盆を配膳車内に多段に収容した後、配膳車ごと冷蔵庫に入れて一時保存しておき、次に、前記配膳車内に収容された各トレイ上の皿の下部に位置する電気ヒータや電磁加熱器に通電して皿上の食品を再加熱した後、予め炊飯した御飯や味噌汁が入れられた中空構造の椀を前記トレイ上に追加することで、所定の料理が全て載った配膳盆として、これを配膳車から順次取り出して給食するようにした加熱配膳方法が知られている。
【０００３】
また、種々の食材を一または複数の食器に入れ、該食器をトレイの所定位置に配置した配膳盆をつくり、該配膳盆を、誘導加熱コイルが組み込まれた配膳車内の各棚部に収容して一旦冷却保存し、所定時刻に前記誘導加熱コイルに通電を行って配膳盆における各食器を加熱することで該食器内の食材を調理して配膳を行うようにした料理の配膳方法も知られている。
【０００４】
そして、一般的に配膳車のトレイ収容室内には、加熱する必要がない冷菜を冷蔵保存するための冷蔵室と米飯（主食）や肉・魚類等の主菜等を加熱するための温蔵室とに区切るための仕切壁が設けられる。
【先行技術文献】
【特許文献】
【０００５】
【特許文献１】特開２００７−２３６８６１号公報
【特許文献２】特開２００６−９４９０２号公報
【特許文献３】特開２００５−３２８９６２号公報
【特許文献４】特許第４０５６１２７号公報
【発明の概要】
【発明が解決しようとする課題】
【０００６】
前述した従来例のうち、前者の場合、調理済みの食品を一旦、冷却保存した後、これを再加熱するため、食品の風味が損なわれ易いという欠点がある他、予め食材を調理しておく必要がある上、この調理済みの食品の変質や腐敗を防止するために、これを一旦冷却保存して置かなければならない。また更に、前記調理済み食品が載置された配膳盆を収容してなる配膳車を、該配膳車ごと冷蔵庫に入れておく必要があることから、配膳に至るまでの事前作業に多くの手間と時間を要するという問題があった。また前述した配膳車ごと冷蔵するための大型冷蔵庫が別途、必要となるため、設備コストが高くなる上、多数の喫食者がいる病院や老人ホーム等おいては、前述した給食配膳方法を実行するためには、多数の配膳車や冷蔵庫を配備する必要があることから、設備コストの更なる上昇を招くと共に、前記配膳車や冷蔵庫の保管スペースやこれらのスムースな移動を確保するための広い通路スペースの確保が必要となり、そのため施設内の限られたスペースの有効利用を図ることができないという欠点もあった。
【０００７】
また、前述した従来例のうち、後者の場合、配膳車内で予め配膳盆の食器に入れた食材を調理することから、前述したような問題が生じないものの、配膳車内で食材を調理するために、予め配膳車内の各棚部に誘導加熱コイルをそれぞれ組み込む一方、各食器には誘導加熱のための磁性材料を付設すると共に、トレイには前記食器を前記誘導加熱コイル上に配置するための外枠を形成する必要があることから、配膳車、食器およびトレイの製造に多大な手間とコストがかかるという問題があった。また、前述した通り、配膳車内の各棚部に誘導加熱コイルが組み込まれている一方、トレイ上の各食器には磁性材料が付設されており、更に、配膳車内の多数の食器内にはそれぞれ食品が入っていることから、配膳車の総重量が非常に重く、そのため、該配膳車の移動や方向転換が行い難く、そのため所定の配膳位置まで到達するのに相当の労力が必要になるという不都合もあった。また配膳車を所定位置まで移動させた後、各喫食者に配膳を行うにあたっても、磁性材料が付設された食品入りの食器を複数載せた配膳盆は彼此重いことから、配膳においても相当の労力を要した。また更に、前記磁性材料が付設された食器は、一般的な合成樹脂製の食器に比べて重量増加を招くことから、喫食者にとっても取扱い難いという不都合があった。
【０００８】
更に、前述した配膳車の操作性の問題および食器の重量の問題は、前述した配膳の際だけでなく、下膳の際にも問題となった。
【０００９】
この他、誘導加熱による食材の調理時においては、調理する個々の食材に対する温度調整が難しく、それぞれ用意された異なる種類の食材を完全に調理するのに複雑な温度設定の管理を行う必要があった。
【００１０】
また、前述した配膳車本体内に仕切壁を有する配膳車においては、上下に隣り合う仕切壁間にトレイを差し込む必要があると共に仕切壁をはさんで隣り合う冷蔵室と温蔵室間での断熱並びに空気の遮断を確実に行う必要があり、また冷蔵室と温蔵室の温度差が大きいことから、温と冷との互いの熱損失の問題を考慮する必要があった。
【００１１】
本発明の目的は、前述した従来の配膳車による配膳上の問題を一挙に解消して、経済的且つ効率的であって、しかも美味な給食を実施することができる、過熱蒸気を用いた調理給食方法およびこれに用いる配膳車を提供することにある。
【課題を解決するための手段】
【００１２】
本発明の発明者は、配膳車内に多段に収容されたトレイ類に米、肉、野菜等の食材が入った種々の食器を載置して配膳車内に過熱蒸気を効率的に循環させることにより、前記各食材を配膳車内で一斉に調理できることを見出し、本発明を完成させたものである。また、このような調理給食方法を低コストで実施するための後述する調理給食用配膳車をも開発したものである。
【００１３】
すなわち、請求項１記載の本発明に係る調理給食用配膳車は、内部にトレイ類が多段に配置されるトレイ収容室を有し、底部に取り付けられたキャスターで移動自在なカートと、内部にカートを収容するカート収容室が形成され、カート収容室内のカートに冷気を送入する冷気供給部および過熱蒸気を送入する過熱蒸気供給部を有する配膳車本体とを備えており、カート収容室は過熱蒸気供給部から供給される過熱蒸気が噴き出す過熱蒸気噴出口と過熱蒸気を吸い込む過熱蒸気吸入口並びに冷気供給部から供給される冷気が噴き出す冷気噴出口と冷気を吸い込む冷気吸入口とカートを出し入れするカート出入口部とカート出入口部を開閉する本体扉を備えており、カートは、配膳車本体内の過熱蒸気噴出口および過熱蒸気吸入口並びに冷気噴出口および冷気吸入口のそれぞれと連通する連通開口部とトレイ類が出し入れされるトレイ出入口部を備えてなり、且つカートのトレイ収容室が仕切壁で冷蔵室と温蔵室に区切られずに、一室構成とすることで冷気または過熱蒸気がカートのトレイ収容室内を循環するようになされているものである。
【００１４】
なお、本発明において、「トレイ類」とは、トレイの他、ホテルパン等も含まれる。
【００１５】
請求項２記載の本願発明は、前記請求項１記載の調理給食用配膳車について、配膳車本体の底部に、カートが進入するカート進入用開口部が形成され且つ配膳車本体の底部に所要数のキャスターが取り付けられているものである。
【００１６】
請求項３記載の本発明は、前記請求項１または請求項２記載の調理給食用配膳車について、配膳車本体に隣接して冷蔵庫が付設されていることを特徴とする。
【００１７】
請求項４記載の本発明は、請求項１〜請求項３のうちのいずれか一項記載の調理給食用配膳車を用いた調理給食方法であって、米、肉および野菜等の食材が入った一または複数の食器が載置されたトレイ類を配膳車本体内のカート内部に多段に収容した後、過熱蒸気供給部からカート内全体に過熱蒸気を供給して、各トレイ類上の食器に収容された食材を調理した後、カートを配膳車本体から出して該カートだけを移動させて配膳を行うことを特徴とする。
【００１８】
請求項５記載の本発明は、前記請求項４記載の調理給食方法について、過熱蒸気による調理を１００〜３００℃の範囲で行うことを特徴とする。
【００１９】
請求項６記載の本発明は、前記請求項４または請求項５記載の調理給食方法について、過熱蒸気による食材の調理前に該食材をカート内で冷蔵しておくことを特徴とする。
【００２０】
請求項７記載の本発明は、前記請求項４〜請求項６のうちのいずれか一項記載の調理給食方法について、食材の調理後にカートを配膳車本体から出して該カートだけを移動させて配膳を行うにあたり、別途冷蔵しておいた冷菜をトレイ類上に追加した後、配膳を行うことを特徴とする。
【００２１】
請求項８記載の本発明は、前記請求項３記載の調理給食用配膳車を用いた調理給食方法であって、別途冷蔵しておいた冷菜類が、配膳車本体に隣接して付設された冷蔵庫で保管されたものである。
【発明の効果】
【００２２】
本発明に係る配膳車を用いた調理給食方法は、配膳車内で食材を調理して配膳を行うものであるため、前もって調理した食品を配膳車内で冷却保存する必要がない。また配膳にあたって前記食品を再加熱する必要もないため、提供する食品の味や見た目および食感を損なうことなく、出来立ての食品を提供することができる。更に、前記食品の冷蔵保存のために配膳車全体を収容する大型冷蔵庫を別途、設ける必要もないため、設備コスト並びに必要スペースの削減が可能であり、また給食のために使用できるスペースがある程度、制限されている場所においても、スムースで効率的な配膳作業が実現される。
【００２３】
また、本発明の配膳車を用いた調理給食方法においては、従来の誘導加熱による食材の調理ではなく、過熱蒸気による食材の調理を行うため、個々の異なる食材が入った食器のそれぞれについて、複雑な温度設定の管理を行う必要がない。更に、本発明によれば、従来の誘導加熱による配膳車の場合のように、配膳車内の各棚部に誘導加熱コイルを組み込んだり、食器に磁性材料を付設する必要もなく、また誘導加熱の関係でトレイ上の所定位置に食器を配置するためにトレイに外枠部を形成する必要もないため、配膳車、食器およびトレイの製造の手間とコストの大幅な削減が可能となる。更に、本発明の調理給食方法によれば、配膳車内の棚部に誘導加熱コイルがなく、また食器に磁性材料が付設されていないため、配膳は勿論、下膳においても配膳車の総重量が軽く、そのため所定位置までの配膳車の移動や方向転換等に要する労力並びに食器の取り扱いの際の労力も大幅に軽減され得る。
【００２４】
更に、配膳車が配膳車本体とこれに収容されるカートで構成された本発明に係る調理給食方法によれば、配膳車本体にカートを収容した状態での過熱蒸気による調理後において、カートを配膳車本体から出して、該カートだけを移動して配膳を行うことができるため、本発明による前述した種々の効果がいっそう高められる。
【００２５】
また、本発明に係る調理給食用配膳車は、そのカートのトレイ収容室が、仕切壁で冷蔵室と温蔵室に区切られずに、一室構成なされているため、トレイ収容室の構造が簡略される上、上下に隣り合う仕切壁間にトレイを差し込む必要がなく、しかも仕切壁をはさんで隣り合う冷蔵室と温蔵室間での断熱並びに空気の遮断を確実に行うための技術的手段も不要であり、更に冷蔵室と温蔵室との温度差による温と冷との互いの熱損失を考慮する必要もない等、種々の実用的利点を有する。
【図面の簡単な説明】
【００２６】
【図１】本発明の実施形態に係る配膳車の斜視図であって、配膳車本体内にカートを収容した状態を示す。
【図２】同実施形態に係る配膳車の斜視図であって、配膳車本体からカートを取り出した状態を示す。
【図３】カート単体の拡大斜視図である。
【図４】配膳車に冷蔵庫を隣接した実施形態を示す斜視図である。
【図５】食材入りの食器が載置されたトレイの斜視図である。
【図６】調理後の食品が入った食器が載置されたトレイの斜視図である。
【図７】配膳車本体内にカートが収容された状態での水平断面図である。
【図８】カートの他の実施形態を示す斜視図である。
【発明を実施するための形態】
【００２７】
次に、本発明の実施形態を図面にしたがって説明するが、本発明はかかる実施形態に限定されるものではない。
【００２８】
先ず、図１〜図３および図７に示すように、本発明の調理給食用配膳車の構造について説明すると、調理給食用配膳車１は、内部にトレイＴが多段に配置されるトレイ収容室４０を有し、底部に取り付けられたキャスター１６で移動自在なカート３と、内部にカート３を収容するカート収容室４が形成され、カート収容室４内のカート３に冷気を送入する冷気設備５および過熱蒸気を送入する過熱蒸気装置６を有する配膳車本体２とを備えており、カート収容室４は過熱蒸気装置６から供給される過熱蒸気が噴き出す過熱蒸気噴出口１９と過熱蒸気を吸い込む過熱蒸気吸入口２１並びに冷気設備５から供給される冷気が噴き出す冷気噴出口２２および冷気を吸い込む冷気吸入口２３とカート３を出し入れするカート出入口部１０とカート出入口部１０を開閉する本体扉１３を備えており、カート３は、配膳車本体２内の過熱蒸気噴出口１９および過熱蒸気吸入口２１並びに冷気噴出口２２および冷気吸入口２３のそれぞれと連通する連通開口部３ｅとトレイＴが出し入れされるトレイ出入口部３ｆを備えてなり、且つカート３内のトレイ収容室４０が仕切壁で冷蔵室と温蔵室に区切られずに、一室構成なされているものである。
【００２９】
図１および図２に示すように、配膳車本体２のカート収容室４は、上壁７と左右壁９・１１と後壁１２と前側に形成された前記カート出入口部１０を備え、カート出入口部１０の左側縁には本体扉１３が取り付けられている。またカート収容室４の底部の外面四隅にはキャスター１４と脚体３０がそれぞれ取り付けられており、前記底部にはカート３が進入するカート進入用開口部１７が形成されている。
【００３０】
本実施形態に係る調理給食用配膳車１は、要するに、その配膳車本体２のカート収容室４内に、トレイＴを多段に配置したカート３が収容され、カート出入口部１０の本体扉１３を閉めて、冷却設備５および過熱蒸気装置６により、カート３内の各トレイＴ上に載せられた食材を冷蔵したり、調理したりするものである。
【００３１】
図１〜図３および図７に示すように、カート３のトレイ収容室４０は、上下壁３ａ・３ｂと、左右壁３ｃ・３ｄと、配膳車本体２の冷却設備５からの冷気および過熱蒸気装置６からの過熱蒸気が流入する連通開口部３ｅと、トレイＴが出し入れされるトレイ出入口部３ｆと、トレイ出入口部３ｆおよび連通開口部３ｅを開閉する一対のカート扉１４Ａ・１４Ｂを備えている。そして、左右壁３ｃ・３ｄには、互いに同じ高さ位置にトレイＴの縁部を受ける略逆Ｌ字状のトレイ受け部材５５が固定されている。また、カート３は、前述した通り、その全体が配膳車本体２内に収容されて過熱蒸気供給・冷気供給が行われるものであるため、当該カート３は外気と遮断されることとなる。したがって、カート３の上下壁３ａ・３ｂ、左右壁３ｃ・３ｄおよびカート扉１４Ａ・１４Ｂ自体には、高い断熱性が要求されず、軽薄化することができ、図示した通り、前記各部材３ａ〜３ｄ並びに１４Ａ・１４Ｂが薄い板厚の簡易パネルで構成されている。
【００３２】
そして、図２に示すように、前記カート３のカート扉１４Ａ・１４Ｂをそれぞれ左右壁３ｃ・３ｄの外側に回動させることで、前記連通開口部３ｅとトレイ出入口部３ｆが開閉されるようになされている。
【００３３】
図１および図４に示すように、配膳車本体２のカート収容室４の後壁１２において、その左寄り部分には上下方向に前述した多数の過熱蒸気噴出口１９が列設され、また最下部の過熱蒸気噴出口１９から内方に外形が円形の前述した過熱蒸気吸込口２１が形成されており、また前記過熱蒸気吸込口２１の上方には多数の冷気噴出口２２と多数の冷気吸入口２３とが上下方向にそれぞれ列設されている。
【００３４】
図１〜図３および図７に示すように、カート３のトレイ収容室４０に収容されるトレイＴは、全体が方形であって、従来の一般的なトレイと異なり、上面幅中央部分に従来の配膳車内の仕切壁間に差込むための凸条がなく、上面全体が平面となされて、食器等が自由に配膳できる形態となされている。
【００３５】
そして、前記過熱蒸気装置６による過熱蒸気の供給によって、各トレイＴ上の食器５１〜５４に入れられた各食材Ｗ・Ｒ・ＢＥ・ＴＢ・ＢＲ・Ｐ・ＨＢがそれぞれ確実に調理される。
【００３６】
図４は、前述した調理給食用配膳車１における配膳車本体２に隣接して冷蔵庫７１を付設した実施形態であって、冷蔵庫７１は、上部７１ａ内に冷却設備を有し、本体７２のトレイ収容室７３の両側壁７４には左右同じ高さ位置に前後方向に伸びるトレイ受け部材５５が固定され、そして、左右一対のトレイ受け部材５５に冷菜類として、ポテトサラダやプリンＰ、フルーツＦ等が多数載置されて冷蔵保存される。
【００３７】
次に、本実施形態に係る調理給食用配膳車１を用いた調理給食方法について説明すると、図５に示すように、前記トレイＴ上には、例えば御飯を食べるための飯椀５１と味噌汁を飲むための汁椀５２と野菜類を食べるための皿５３と肉類を食べるための小皿５４が載置され、飯椀５１には食材として水Ｗと洗米Ｒが入れられ、汁椀５２には水Ｗと味噌ＢＥと豆腐ＴＢ等が食材として入れられ、皿５３にはブロッコリーＢＲやジャガイモＰ等の生野菜が食材として盛られ、小皿５４には成形されたハンバーグの素ＨＢが食材として載せられている。
【００３８】
そして、図１に示すように、配膳車本体２内の配膳用のカート３におけるトレイ収容室４０内に、前述した所定の食材がそれぞれ入った飯椀５１、汁椀５２、皿５３および小皿５４を載置してなるトレイＴを多段に収容する。
【００３９】
その後、図７に示すように、前記カート３の本体扉１３を閉める一方、カート３のカート扉１４Ａ・１４Ｂを開けてトレイ収容室４０の連通開口部３ｅとトレイ出入口部３ｆを解放状態として、カート３内に多段に配置されたトレイＴ上に、前記蒸気発生装置６からの過熱蒸気をトレイ収容室４０内に循環させることで、各トレイＴにおける食器５１〜５４内の食材Ｗ・Ｒ・ＢＥ・ＴＢ・ＢＲ・Ｐ・ＨＢが過熱蒸気によって調理される。この際、前述した通り、トレイ収容室４０は、仕切壁のない一室構成となされているため、過熱蒸気は熱損失を生ずることなく、トレイ収容室４０内全体を循環し、その結果、前記食材Ｗ・Ｒ・ＢＥ・ＴＢ・ＢＲ・Ｐ・ＨＢの調理が効率的に行われる。
【００４０】
そのため、図６に示すように、前記カート３内から取り出したトレイＴ上において、前記飯椀５１内で御飯ＳＲができ、汁椀５２内で味噌汁ＭＳができ、皿５３上ではブロッコリーＢＲやジャガイモＰ等の温野菜ができ、小皿５３では柔らかく蒸し上がったハンバーグＨＢができている。
【００４１】
そして、図２、図３に示すように、このような調理された出来立ての料理が載ったトレイＴを多段に収容したカート３を配膳車本体１の本体扉１３を開けて引き出し、各部屋の配膳位置まで移動させて配膳を行う。また、配膳にあたっては、図４および図６に示すように、配膳車１に隣接する冷蔵庫７１から前記冷菜類としてのポテトサラダやプリンＰ、フルーツＦ等をトレイT上に追加して配膳するようにしても良い。更に、このような冷菜類の追加は、前述した配膳車１に隣接する冷蔵庫７１を設けずに、別の場所に設置した通常の冷蔵庫から取り出して行うようにしても良い。
【００４２】
また、前述した過熱蒸気による調理は、１００〜３００℃の範囲で行うのが好ましい。
【００４３】
更に、カート３内に収容した各トレイＴの食器５１〜５４内の食材Ｗ・Ｒ・ＢＥ・ＴＢ・ＢＲ・Ｐ・ＨＢの調理を開始するまでに時間がある場合には、前述した冷却設備５による冷蔵を一時的に行うようにする。
【００４４】
この場合、前述した配膳車本体１の上部に設けられた冷却設備５を運転して、これに連通する冷気ダクト（図示せず）を介して冷気噴出口２２からカート３内に冷気が供給され、その結果、前記食材Ｗ・Ｒ・ＢＥ・ＴＢ・ＢＲ・Ｐ・ＨＢが冷蔵される。
【００４５】
図８は、本発明の他の実施形態に係るカート６３であって、前述した実施形態の調理給食用配膳車１では、配膳車本体１内のカート３は、そのトレイ収容室４０の上下方向にトレイＴを一枚ずつ多段に収容する構成であったが、本実施形態では、トレイＴを左右二枚収容する構造としたものである。
【００４６】
すなわち、本実施形態のカート６３は、左右壁６４・６５にトレイ受け部材５５が固定され、またカート６３内の左右方向中央部分における前端部と後端部に、互いに対向する支柱６７が立設され、これら支柱６７の両側にそれぞれトレイ受け部材５５が前後方向に支持され、左右壁６４・６５のトレイ受け部材５５と支柱６７のトレイ受け部材５５が互いに同じ高さ位置に設定されることで、トレイＴが支持される構成となされている。また、このようなカート６３が収容されるように、前記配膳車本体２を大きくすることは勿論である。そのため、本実施形態によれば、前記実施形態の二倍のトレイを収容することができ、その結果、二倍の配膳を実施することが可能となる。
【産業上の利用可能性】
【００４７】
本発明に係る配膳車を用いた調理給食方法によれば、低コストで効率的に、しかも美味しい給食が実現されるため、老人ホームや病院等の施設において幅広い利用が期待できる。
【符号の説明】
【００４８】
１  カート収容型配膳車
２  配膳車本体
３  カート
４  カート収容室
５  冷却設備
６  過熱蒸気装置
１２  カート出入口
１３  本体扉
１４Ａ・１４Ｂ  カート扉
１９  過熱蒸気噴出口
２１  過熱蒸気吸入口
２２  冷気噴出口
２３  冷気吸入口
４０  トレイ収容室
５１  飯椀
５２  汁椀
５３  皿
５４  小皿
【要約】
【課題】  経済的且つ効率的であって、しかも美味な給食を提供することができるようにする。
【解決手段】  内部にトレイ類が多段に配置され、底部に取り付けられたキャスター１６で移動自在なカート３と、内部にカート３を収容するカート収容室４０が形成され、カート収容室４０内のカート３に冷気を送入する冷気供給部５および過熱蒸気等を送入する過熱蒸気等供給部６を有する配膳車本体２とを備えており、カート３内が仕切壁で冷蔵室と温蔵室に区切られずに、一室構成なされている。
【選択図】  図１【図１】
0005800403.tif 000002
【図２】
0005800403.tif 000003
【図３】
0005800403.tif 000004
【図４】
0005800403.tif 000005
【図５】
0005800403.tif 000006
【図６】
0005800403.tif 000007
【図７】
0005800403.tif 000008
【図８】
0005800403.tif 000009